(57)【要約】【課題】ケーブルに損傷が生じるのをより抑制する。【解決手段】ケーブル用ブラケット２０において、２つの接続部２２，２４の間の中間部２６に設けられた保持部４２，４４にケーブル１０を載置した状態で、ケーブル１０の外周の一部に当接するよう保持部４２，４４が曲げ変形されると共に２つの接続部２２，２４のうちの一方の接続部に他方の接続部が重ねられる際に、第１突出変形部５１と第１突出変形部５１からケーブル１０の軸方向にずれた位置に配置された第２突出変形部５２とをケーブルを載置する表面３６側に突出させることにより、ケーブル１０が保持部４２，４４から接続部２２側に移動するのを規制することができる。これにより、２つの接続部２２，２４にケーブル１０が挟み込まれることをより抑制でき、ケーブル１０に損傷が生じるのをより抑制できる。【選択図】図２
2013059216.tif 000002
【特許請求の範囲】
【請求項１】
２つの接続部と該２つの接続部の間に存在する中間部とを有する板状の部材として構成され、前記中間部に設けられた保持部にケーブルを載置した状態で、前記ケーブルの外周の一部に当接するよう前記保持部が曲げ変形されると共に前記２つの接続部のうちの一方の接続部に他方の接続部が重ねられることにより前記保持部が前記ケーブルを保持可能なケーブル用ブラケットであって、
前記中間部のうち前記２つの接続部のいずれかの側に配置され、前記ケーブルを載置する面側に突出するよう曲げ変形可能な第１突出変形部と、
前記中間部のうち前記２つの接続部のいずれかの側であって前記載置するケーブルの軸方向に前記第１突出変形部からずれた位置に配置され、前記ケーブルを載置する面側に突出するよう曲げ変形可能な第２突出変形部と、
を備えたケーブル用ブラケット。
【請求項２】
前記第１突出変形部は、前記載置するケーブルの軸方向において前記保持部よりも外側の一方に配置されており、
前記第２突出変形部は、前記載置するケーブルの軸方向において前記保持部よりも外側の他方に配置されている、
請求項１に記載のケーブル用ブラケット。
【請求項３】
前記中間部は、少なくとも２つの前記保持部を有しており、
前記第１突出変形部は、前記保持部のいずれか１つの一部であり、該保持部のうち前記２つの接続部のいずれかの側に配置され、前記ケーブルを載置する面側に突出するよう曲げ変形可能であり、
前記第２突出変形部は、前記第１突出変形部とは異なる前記保持部の一部であり、該保持部のうち前記２つの接続部のいずれかの側に配置され、前記ケーブルを載置する面側に突出するよう曲げ変形可能である、
請求項１に記載のケーブル用ブラケット。
【請求項４】
請求項１〜３のいずれか１項に記載のケーブル用ブラケットであって、
前記中間部のうち前記２つの接続部のいずれかの側であって前記載置するケーブルの軸方向において前記第１突出変形部と前記第２突出変形部との間に配置され、前記ケーブルを載置する面側に突出するよう曲げ変形可能な中間突出変形部、
を備えたケーブル用ブラケット。
【請求項５】
前記中間部は、少なくとも２つの前記保持部を有しており、
前記中間突出変形部は、前記載置するケーブルの軸方向において２つの前記保持部の間に配置されている、
請求項４に記載のケーブル用ブラケット。
【請求項６】
前記第１突出変形部は、前記中間部のうち前記２つの接続部のいずれかの側であって前記第２突出変形部と同じ側に配置されている、
請求項１〜５のいずれか１項に記載のケーブル用ブラケット。
【請求項７】
２つの接続部と該２つの接続部の間に存在する中間部とを有し、前記中間部に設けられた保持部にケーブルを載置した状態で前記ケーブルの外周の一部に当接するよう前記保持部が曲げ変形されると共に前記２つの接続部のうちの一方の接続部に他方の端部が重ねられることにより前記ケーブルを保持するケーブル用ブラケットであって、
前記中間部のうち前記２つの接続部のいずれかの側に配置され、前記ケーブルを載置する面側に突出するよう曲げ変形された第１突出変形部と、
前記中間部のうち前記２つの接続部のいずれかの側であって前記載置されたケーブルの軸方向に前記第１突出変形部からずれた位置に配置され、前記ケーブルを載置する面側に突出するよう曲げ変形された第２突出変形部と、
を備えることを特徴とするケーブル用ブラケット。
【請求項８】
２つの接続部と該２つの接続部の間に存在する中間部とを有する板状の部材として構成され、前記中間部に設けられた保持部と、前記中間部のうち前記２つの接続部のいずれかの側に配置された第１突出変形部と、前記中間部のうち前記２つの接続部のいずれかの側であって前記載置するケーブルの軸方向に前記第１突出変形部からずれた位置に配置された第２突出変形部と、を備えるケーブル用ブラケットの取り付け方法であって、
（ａ）前記保持部に前記ケーブルを載置すると共に、前記ケーブルを載置する面側に突出するよう前記第１突出変形部及び前記第２突出変形部を曲げ変形する工程と、
（ｂ）前記ケーブルの外周の一部に当接するよう前記保持部が曲げ変形されると共に前記２つの接続部のうちの一方の接続部に他方の接続部が重ねられることにより前記保持部が前記ケーブルを保持する工程と、
を含むケーブル用ブラケットの取り付け方法。
【請求項９】
請求項２に記載のケーブル用ブラケットであって、
前記保持部の一部であり、該保持部のうち前記２つの接続部のいずれかの側に配置され、前記ケーブルを載置する面側に突出するよう曲げ変形可能な第３突出変形部、
を備えたケーブル用ブラケット。
【発明の詳細な説明】
【技術分野】
【０００１】
本発明は、ケーブル用ブラケット及びその取り付け方法に関する。
【背景技術】
【０００２】
従来、例えばワイヤーハーネスなどのケーブルを保持するケーブル用ブラケットとして、電線を束ねてなるケーブルをバックル部に載置して、バックル部から一体に延びた帯部をワイヤハーネスの外周に巻き付けることによりワイヤハーネスをバックル部上に保持するものが提案されている（例えば、特許文献１参照）。このケーブル用ブラケットでは、バックル部にワイヤハーネスの長さ方向に沿って張り出した規制部を設け、この規制部に形成された突起をワイヤハーネスの電線の束の間に食い込ませることにより、ワイヤハーネスに曲げが生じることを抑制している。
【０００３】
また、ケーブル用ブラケットとして、ケーブルをクランプ内に保持するための締め付け手段を複数備えたものが記載されている（例えば、特許文献２参照）。このケーブル用ブラケットでは、締め付け手段を複数備えることにより、締め付け手段の他方が損傷してももう一方の締め付け手段が独立してケーブルを保持できるようにしている。
【先行技術文献】
【特許文献】
【０００４】
【特許文献１】特開２０００−２２０９号公報
【特許文献２】特表２０１０−５１７４９９号公報
【発明の概要】
【発明が解決しようとする課題】
【０００５】
ところで、板状の部材として構成され、両端に２つの接続部が設けられるとともにその間に中間部が設けられ、中間部にケーブルを載置した状態で一方の接続部を他方の接続部に重ねて整合させることによりケーブルを保持する形状のケーブル用ブラケットでは、一方の接続部を他方の接続部に重ねる際に、ケーブルを被覆する被覆材などケーブルの一部をケーブル用ブラケットが挟み込んでしまい、ケーブルに損傷を生じさせる場合があった。そして、上述した特許文献１，２では、このような挟み込みによるケーブルの損傷については考慮されていなかった。
【０００６】
本発明は、上述した課題に鑑みなされたものであり、ケーブルに損傷が生じるのをより抑制することを主目的とする。
【課題を解決するための手段】
【０００７】
本発明の第１のケーブル用ブラケットは、
２つの接続部と該２つの接続部の間に存在する中間部とを有する板状の部材として構成され、前記中間部に設けられた保持部にケーブルを載置した状態で、前記ケーブルの外周の一部に当接するよう前記保持部が曲げ変形されると共に前記２つの接続部のうちの一方の接続部に他方の接続部が重ねられることにより前記保持部が前記ケーブルを保持可能なケーブル用ブラケットであって、
前記中間部のうち前記２つの接続部のいずれかの側に配置され、前記ケーブルを載置する面側に突出するよう曲げ変形可能な第１突出変形部と、
前記中間部のうち前記２つの接続部のいずれかの側であって前記載置するケーブルの軸方向に前記第１突出変形部からずれた位置に配置され、前記ケーブルを載置する面側に突出するよう曲げ変形可能な第２突出変形部と、
を備えたものである。
【０００８】
この本発明の第１のケーブル用ブラケットでは、２つの接続部の間の中間部に設けられた保持部にケーブルを載置した状態で、ケーブルの外周の一部に当接するよう保持部が曲げ変形されると共に２つの接続部のうちの一方の接続部に他方の接続部が重ねられる際に、第１突出変形部と第１突出変形部からケーブルの軸方向にずれた位置に配置された第２突出変形部とをケーブルを載置する面側に突出させることにより、ケーブルが保持部から接続部側に移動するのを規制することができる。これにより、例えば２つの接続部にケーブルが挟み込まれることをより抑制でき、ケーブルに損傷が生じるのをより抑制できる。この場合において、前記第１突出変形部及び前記第２突出変形部は、前記ケーブルを載置する面から略垂直に突出するよう曲げ変形可能に形成されてなるものとしてもよいし、前記第１突出変形部及び前記第２突出変形部は、前記ケーブルを保持したときに前記ケーブルの軸方向（ケーブルの延在方向）に略平行に突出するよう曲げ変形可能に形成されてなるものとしてもよい。また、前記中間部のうち前記２つの接続部のいずれかの側に配置され、前記ケーブルを載置する面側に突出するよう曲げ変形可能な突出変形部をさらに備えるなど、ケーブル用ブラケットが３つ以上の突出変形部を備えるものとしてもよい。こうすれば、３つ以上の突出変形部でケーブルの移動を抑制して、ケーブルの損傷をより抑制することができる。
【０００９】
この本発明の第１のケーブル用ブラケットにおいて、前記第１突出変形部は、前記載置するケーブルの軸方向において前記保持部よりも外側の一方に配置されており、前記第２突出変形部は、前記載置するケーブルの軸方向において前記保持部よりも外側の他方に配置されているものとしてもよい。こうすれば、第１突出変形部と第２突出変形部とが保持部を挟んで両側に位置する。そのため、一方の接続部を他方の接続部に重ねる際に、ケーブルのうち保持部に押される部分の両側でケーブルの移動を規制して、ケーブルの損傷をより抑制できる。この場合において、前記保持部の一部であり、該保持部のうち前記２つの接続部のいずれかの側に配置され、前記ケーブルを載置する面側に突出するよう曲げ変形可能な第３突出変形部を備えるものとしてもよい。こうすれば、第１〜第３突出変形部がケーブルの移動を規制して、ケーブルの損傷をより抑制できる。
【００１０】
この本発明の第１のケーブル用ブラケットにおいて、前記中間部は、少なくとも２つの前記保持部を有しており、前記第１突出変形部は、前記保持部のいずれか１つの一部であり、該保持部のうち前記２つの接続部のいずれかの側に配置され、前記ケーブルを載置する面側に突出するよう曲げ変形可能であり、前記第２突出変形部は、前記第１突出変形部とは異なる前記保持部の一部であり、該保持部のうち前記２つの接続部のいずれかの側に配置され、前記ケーブルを載置する面側に突出するよう曲げ変形可能であるものとしてもよい。こうすれば、ケーブルのうち保持部に押される部分でケーブルの移動を規制して、ケーブルの損傷をより抑制できる。
【００１１】
この本発明の第１のケーブル用ブラケットにおいて、前記中間部のうち前記２つの接続部のいずれかの側であって前記載置するケーブルの軸方向において前記第１突出変形部と前記第２突出変形部との間に配置され、前記ケーブルを載置する面側に突出するよう曲げ変形可能な中間突出変形部を備えたものとしてもよい。こうすれば、第１突出変形部及び第２突出変形部だけでなく、中間突出変形部によってもケーブルの移動を規制するため、ケーブルの損傷をより抑制できる。この場合において、前記中間部は、少なくとも２つの前記保持部を有しており、前記中間突出変形部は、前記載置するケーブルの軸方向において２つの前記保持部の間に配置されているものとしてもよい。こうすれば、ケーブルのうち２つの保持部に押される部分の間でケーブルの移動を規制して、ケーブルの損傷をより抑制できる。
【００１２】
この本発明の第１のケーブル用ブラケットにおいて、前記第１突出変形部は、前記中間部のうち前記２つの接続部のいずれかの側であって前記第２突出変形部と同じ側に配置されているものとしてもよい。第１突出変形部と第２突出変形部とが２つの接続部の同じ側に位置することで、ケーブルが保持部と第１突出変形部及び第２突出変形部とに挟まれてケーブルの移動が規制されるため、ケーブルの損傷をより抑制できる。なお、第１突出変形部及び第２突出変形部以外にも突出変形部を備える場合には、該突出変形部と第１突出変形部及び第２突出変形部とが２つの接続部の同じ側に配置されているものとしてもよい。ケーブルが保持部と第１突出変形部及び第２突出変形部とに挟まれてケーブルの移動が規制する効果が高まる。
【００１３】
本発明の第２のケーブル用ブラケットは、
２つの接続部と該２つの接続部の間に存在する中間部とを有し、前記中間部に設けられた保持部にケーブルを載置した状態で前記ケーブルの外周の一部に当接するよう前記保持部が曲げ変形されると共に前記２つの接続部のうちの一方の接続部に他方の端部が重ねられることにより前記ケーブルを保持するケーブル用ブラケットであって、
前記中間部のうち前記２つの接続部のいずれかの側に配置され、前記ケーブルを載置する面側に突出するよう曲げ変形された第１突出変形部と、
前記中間部のうち前記２つの接続部のいずれかの側であって前記載置されたケーブルの軸方向に前記第１突出変形部からずれた位置に配置され、前記ケーブルを載置する面側に突出するよう曲げ変形された第２突出変形部と、
を備えたものである。
【００１４】
この本発明の第２のケーブル用ブラケットでは、第１突出変形部及び第２突出変形部はケーブルを載置する面側に突出していると共に第２突出変形部は第１突出変形部からケーブルの軸方向にずれた位置に配置されているから、２つの接続部の間の中間部に設けられた保持部にケーブルを載置した状態で、ケーブルの外周の一部に当接するよう保持部が曲げ変形されると共に２つの接続部のうちの一方の接続部に他方の接続部が重ねられる際に、第１突出変形部と第２突出変形部とにより、ケーブルが保持部から接続部側に移動するのを規制することができる。これにより、例えば２つの接続部にケーブルが挟み込まれることを抑制でき、ケーブルに損傷が生じるのをより抑制できる。なお、本発明の第２のケーブル用ブラケットにおいて、上述した本発明の第１のケーブル用ブラケットの種々の態様を採用してもよいし、上述した本発明の第１のケーブル用ブラケットの各構成を追加してもよい。
【００１５】
本発明のケーブル用ブラケットの取り付け方法は、
２つの接続部と該２つの接続部の間に存在する中間部とを有する板状の部材として構成され、前記中間部に設けられた保持部と、前記中間部のうち前記２つの接続部のいずれかの側に配置された第１突出変形部と、前記中間部のうち前記２つの接続部のいずれかの側であって前記載置するケーブルの軸方向に前記第１突出変形部からずれた位置に配置された第２突出変形部と、を備えるケーブル用ブラケットの取り付け方法であって、
（ａ）前記保持部に前記ケーブルを載置すると共に、前記ケーブルを載置する面側に突出するよう前記第１突出変形部及び前記第２突出変形部を曲げ変形する工程と、
（ｂ）前記ケーブルの外周の一部に当接するよう前記保持部が曲げ変形されると共に前記２つの接続部のうちの一方の接続部に他方の接続部が重ねられることにより前記保持部が前記ケーブルを保持する工程と、
を含むものである。
【００１６】
この本発明のケーブル用ブラケットの取り付け方法では、保持部にケーブルを載置すると共に、ケーブルを載置する面側に突出するよう第１突出変形部及び第２突出変形部を曲げ変形してから、前記ケーブルの外周の一部に当接するよう保持部が曲げ変形されると共に前記２つの接続部のうちの一方の接続部に他方の接続部が重ねられることにより前記保持部が前記ケーブルを保持する。これにより、ケーブルが保持部から接続部側に移動するのを第１突出変形部及び第２突出変形部により規制することができる。したがって、例えば２つの接続部にケーブルが挟み込まれることをより抑制でき、ケーブルに損傷が生じるのをより抑制できる。なお、このケーブル用ブラケットの取り付け方法において、上述した本発明の第１のケーブル用ブラケットの種々の態様を採用してもよいし、上述した本発明の第１のケーブル用ブラケットの各構成を追加してもよい。
【図面の簡単な説明】
【００１７】
【図１】本発明の一実施形態であるケーブル用ブラケット２０の構成の概略を示す平面図である。
【図２】ケーブル用ブラケット２０でケーブル１０を保持している様子を示す斜視図である。
【図３】工程（ａ）後のケーブル用ブラケット２０の様子を示す平面図である。
【図４】図３のＡ−Ａ断面図である。
【図５】図３のＢ−Ｂ断面図である。
【図６】工程（ｂ）後のケーブル用ブラケット２０の様子を示す平面図である。
【図７】図６のＣ−Ｃ断面図である。
【図８】図６のＤ−Ｄ断面図である。
【図９】突出変形部を設けず接続部２２と接続部２４とを重ねた様子を示す説明図である。
【図１０】変形例のケーブル用ブラケット１２０の説明図である。
【図１１】変形例のケーブル用ブラケット２２０の説明図である。
【図１２】変形例のケーブル用ブラケット３２０の説明図である。
【図１３】変形例のケーブル用ブラケット４２０の説明図である。
【図１４】ケーブル用ブラケット４２０がケーブル１０を保持したときの様子を示す説明図である。
【発明を実施するための形態】
【００１８】
次に、本発明を実施するための最良の形態を実施例を用いて説明する。
【実施例】
【００１９】
図１は、本発明の一実施形態であるケーブル用ブラケット２０の構成の概略を示す平面図である。図２は、ケーブル用ブラケット２０でケーブル１０を保持している様子を示す斜視図である。このケーブル用ブラケット２０は、配線を束ねて構成されるワイヤーハーネス等のケーブル１０を保持するためのものである。
【００２０】
ケーブル用ブラケット２０は、図１に示すように、曲げ変形可能な例えば金属製の板材からプレスで打ち抜かれて一体成形された板状の部材として形成されており、２つの接続部２２，２４と、２つの接続部２２，２４の間に存在する中間部２６とを有する。
【００２１】
接続部２２は、ケーブル用ブラケット２０のうち端２１から長さＬ１までの領域として構成されており、貫通孔３２が形成されている。接続部２２は、載置するケーブル１０の軸方向（図１の上下方向）における長さ（幅）が、端２１側では接続部２４と同等になるように形成されている。また、接続部２２は、中間部２６側に近づくほど載置するケーブル１０の軸方向における長さが大きくなるように、すなわち幅広になるように形成されており、接続部２２の中間部２６側の端部では、中間部２６の基部４６と幅が一致している。
【００２２】
接続部２４は、ケーブル用ブラケット２０のうち端２３から長さＬ２までの略長方形の領域として構成されており、貫通孔３４が形成されている。なお、貫通孔３２，３４は、接続部２２，２４を重ねたときに整合するよう配置されており、接続部２２，２４を重ねたときに貫通孔３２，３４と図示しない車体などに設けられたボルト穴とにボルトを貫通させることにより、ケーブル用ブラケット２０を車体などに固定することができる。
【００２３】
中間部２６は、ケーブル用ブラケット２０のうち接続部２２と接続部２４との間の領域
であり、保持部４２，４４と、基部４６，４８とが設けられている。保持部４２，４４は、表面３６にケーブル１０が載置される略長方形の部位であり、基部４６を介して接続部２２と接続され、基部４８を介して接続部２４と接続されている。基部４６は、保持部４２，４４と比べて載置するケーブル１０の軸方向において外側まで存在する幅広の部位である。この基部４６には、第１突出変形部５１，第２突出変形部５２，中間突出変形部５３が形成されている。基部４８は、載置するケーブル１０の軸方向において接続部２４と同じ長さの部位である。なお、図１における保持部４２の上端から保持部４４の下端までの長さと、基部４８の上下方向の長さと、接続部２４の上下方向の長さとは同じである。そのため、図１における保持部４２，基部４８，接続部２４の上端は直線状に形成されており、保持部４４，基部４８，接続部２４の下端は直線状に形成されている。
【００２４】
第１突出変形部５１は、中間部２６における２つの接続部２２，２４の一方である接続部２２側に配置され、ケーブル１０を載置する表面３６側に突出するようプレスにより曲げ変形可能な部位である。この第１突出変形部５１は、基部４６の上端側に取り付けられており、載置するケーブル１０の軸方向において保持部４２，４４よりも外側の一方（図１における上方）に配置されている。また、第１突出変形部５１は、ケーブル１０の軸方向に略平行に突出するよう曲げ変形可能に構成されている。
【００２５】
第２突出変形部５２は、中間部２６における２つの接続部２２，２４のうち第１突出変形部５１と同じ接続部２２側であって、載置するケーブル１０の軸方向に第１突出変形部５１からずれた位置に配置され、ケーブル１０を載置する表面３６側に突出するようプレスにより曲げ変形可能な部位である。この第２突出変形部５２は、基部４６の下端側に取り付けられており、載置するケーブル１０の軸方向において保持部４２，４４よりも外側の他方（図１における下方）に配置されている。これにより、第１突出変形部と第２突出変形部とは保持部４２，４４を挟んで両側に位置している。また、第２突出変形部５２は、その面がケーブル１０の軸方向に略平行に突出するよう曲げ変形可能に構成されている。
【００２６】
中間突出変形部５３は、中間部２６における２つの接続部２２，２４のうち第１突出変形部５１，第２突出変形部５２と同じ接続部２２側であって、載置するケーブル１０の軸方向において第１突出変形部５１と第２突出変形部５２との間に配置され、ケーブルを載置する面３６側に突出するようプレスにより曲げ変形可能な部位である。この中間突出変形部５３は、載置するケーブル１０の軸方向において２つの保持部４２，４４の間に配置されている。また、中間突出変形部５３は、ケーブル１０の軸方向に略平行に突出するよう曲げ変形可能に構成されている。
【００２７】
こうして構成されたケーブル用ブラケット２０は、中間部２６に設けられた保持部４２，４４の表面３６にケーブル１０を載置した状態で、ケーブル１０の外周の一部に当接するよう保持部４２，４４が曲げ変形されると共に２つの接続部２２，２４のうちの一方の接続部に他方の接続部が重ねられることにより、図２に示すように保持部４２，４４がケーブル１０を保持可能となっている。
【００２８】
次に、このケーブル用ブラケット２０の取り付け方法について説明する。まず、ケーブル１０にケーブル用ブラケット２０を取り付ける際には、まず、工程（ａ）として、保持部４２，４４の表面３６にケーブル１０を載置すると共に、ケーブル１０を載置する表面３６側に突出するよう第１突出変形部５１，第２突出変形部５２，中間突出変形部５３をプレスにより曲げ変形する工程を行う。図３は、この工程（ａ）を行ったときのケーブル用ブラケット２０の様子を示す平面図である。図４は、図３のＡ−Ａ断面図である。図５は、図３のＢ−Ｂ断面図である。図３〜５に示すように、第１突出変形部５１、第２突出変形部５２、中間突出変形部５３を表面３６方向に突出した第１突出変形部５１、第２突出変形部５２、中間突出変形部５３により、ケーブル１０の接続部２２方向への移動が規制される。なお、図３〜５に示すように、第１突出変形部５１，第２突出変形部５２，中間突出変形部５３は、載置したケーブル１０の軸方向に略平行に突出し且つ表面３６から略垂直に突出するよう曲げ変形する。
【００２９】
続いて、工程（ｂ）として、ケーブル１０の外周の一部に当接するよう保持部４２，４４が曲げ変形されると共に２つの接続部２２，２４のうちの一方の接続部に他方の接続部が重ねられることにより保持部４２，４４がケーブル１０を保持する工程を行う。この工程により、ケーブル用ブラケット２０は上述した図２の状態となる。図６は、この工程（ｂ）を行ったときのケーブル用ブラケット２０の様子を示す平面図である。図６は、図２を平面視したものに相当する。図７は、図６のＣ−Ｃ断面図である。図８は、図６のＤ−Ｄ断面図である。なお、図６〜８は、２つの接続部２２，２４のうち第１突出変形部５１，第２突出変形部５２，中間突出変形部５３が形成されている側である接続部２２に接続部２４が重ねられた場合について示した。ここで、保持部４２，４４が曲げ変形されると共に接続部２２と接続部２４とを重ねる際には、ケーブル１０が接続部２２，２４側に動いて接続部２２，２４とでケーブル１０を挟み込む場合がある。図９は、第１突出変形部５１，第２突出変形部５２，中間突出変形部５３を設けないケーブル用ブラケットにおいて接続部２２と接続部２４とを重ねた様子を示す説明図である。本実施形態のケーブル用ブラケット２０は、図２，６〜８に示すように、工程（ｂ）において保持部４２，４４が曲げ変形されてケーブル１０を接続部２２の方向（図６〜８の左方向）に押したとしても、第１突出変形部５１、第２突出変形部５２、中間突出変形部５３を表面３６によりケーブル１０が支えられ、ケーブル１０の接続部２２側への移動を規制することができる。これにより、ケーブル１０が接続部２２，２４に挟み込まれて損傷が生じるのをより抑制することができる。また、例えばケーブル１０を押さえ込む治具など、ケーブル１０が接続部２２，２４に挟み込まれて損傷が生じるのを防止するための治具が不要になる。
【００３０】
以上説明した本実施形態のケーブル用ブラケット２０によれば、２つの接続部２２，２４の間の中間部２６に設けられた保持部４２，４４にケーブル１０を載置した状態で、ケーブル１０の外周の一部に当接するよう保持部４２，４４が曲げ変形されると共に２つの接続部２２，２４のうちの一方の接続部に他方の接続部が重ねられる際に、第１突出変形部５１と第１突出変形部５１からケーブル１０の軸方向にずれた位置に配置された第２突出変形部５２とをケーブルを載置する表面３６側に突出させることにより、ケーブル１０が保持部４２，４４から接続部２２側に移動するのを規制することができる。これにより、２つの接続部２２，２４にケーブル１０が挟み込まれることをより抑制でき、ケーブル１０に損傷が生じるのをより抑制できる。
【００３１】
また、第１突出変形部５１は、載置するケーブル１０の軸方向において保持部４２，４４よりも外側の一方に配置されており、第２突出変形部５２は、載置するケーブル１０の軸方向において保持部４２，４４よりも外側の他方に配置されている。すなわち、第１突出変形部５１と第２突出変形部５２とが保持部４２，４４を挟んで両側に位置している。そのため、一方の接続部を他方の接続部に重ねる際に、ケーブルのうち保持部に押される部分の両側でケーブルの移動を規制して、ケーブルの損傷をより抑制できる。
【００３２】
さらに、ケーブル用ブラケット２０は、中間部２６のうち接続部２２の側であって載置するケーブル１０の軸方向において第１突出変形部５１と第２突出変形部５２との間に配置され、ケーブル１０を載置する表面３６側に突出するよう曲げ変形可能な中間突出変形部５３を備えている。このため、第１突出変形部５１及び第２突出変形部５２だけでなく、中間突出変形部５３によってもケーブル１０の移動を規制するため、ケーブル１０の損傷をより抑制できる。しかも、中間部２６は、２つの保持部４２，４４を有しており、中間突出変形部５３は、載置するケーブル１０の軸方向において２つの保持部４２，４４の間に配置されている。このため、ケーブル１０のうち２つの保持部４２，４４に押される部分の間でケーブル１０の移動を規制して、ケーブルの損傷をより抑制できる。
【００３３】
さらにまた、第１突出変形部５１及び第３突出変形部５３は、中間部２６のうち２つの接続部２２，２４のいずれかの側であって第２突出変形部５２と同じ側に配置されている。すなわち第１突出変形部５１，第２突出変形部５２，第３突出変形部５３が同じ側に配置されている。このため、ケーブル１０を載置したときから保持部４２，４４と第１突出変形部５１，第２突出変形部５２，中間突出変形部５３とに挟まれてケーブル１０の移動が規制されるため、ケーブル１０の損傷をより抑制できる。
【００３４】
以下、上述した実施形態の別例や変形例について説明する。なお、同じ構成要素については同じ符号を付して、重複する説明を省略する。
【００３５】
実施形態のケーブル用ブラケット２０では、第１突出変形部５１，第２突出変形部５２，中間突出変形部５３を表面３６から略垂直に突出させるものとしたが、これに限らずどのように突出させてもよい。例えば、図１０の変形例のケーブル用ブラケット１２０に示すように、中間突出変形部１５３を接続部２２側に傾けて突出させるものとしてもよい。また、中間突出変形部５３を載置したケーブル１０側に傾けて突出させるものとしてもよい。なお、第１突出変形部５１，第２突出変形部５２についても、中間突出変形部５３と同様に、接続部２２側又はケーブル１０側に傾けて突出させるものとしてもよい。
【００３６】
実施形態のケーブル用ブラケット２０では、第１突出変形部５１，第２突出変形部５２，中間突出変形部５３は載置したケーブル１０の軸方向に略平行に突出するよう曲げ変形可能なものとしたが、これに限らずどのように突出可能であってもよい。例えば、図１１の変形例のケーブル用ブラケット２２０に示すように、第１突出変形部２５１は基部２４６の上側に配置され、ケーブル１０の軸方向に略垂直に突出するよう曲げ変形可能なものとしてもよい。この場合、図１１に示すように、接続部２２２，基部２４６，保持部４２の上端は一致していてもよい。すなわち、基部２４６が保持部４２と比べて載置するケーブル１０の軸方向において上側に存在していなくともよい。なお、第１突出変形部２５１は基部２４６の上側に限らず、保持部４２の上側に配置されるものとしてもよいし、基部２４６の上側と保持部４２の上側とにまたがるように配置されるものとしてもよい。
【００３７】
実施形態のケーブル用ブラケット２０では、保持部４２，４４の２つの保持部を備えるものとしたが、１つの保持部のみを備えるものとしてもよい。その場合、１つの保持部を保持部４２，４４よりも幅広に形成してもよい。
【００３８】
実施形態のケーブル用ブラケット２０では、中間突出変形部５３は載置するケーブル１０の軸方向において２つの保持部４２，４４の間に配置されているものとしたが、保持部４２，４４の間でなくともよい。例えば、載置するケーブル１０の軸方向において第１突出変形部５１と保持部４２との間や、第２突出変形部５２と保持部４４との間に配置してもよい。また、ケーブル用ブラケット２０は中間突出変形部５３を備えないものとしてもよい。この場合でも第１突出変形部５１，第２突出変形部５２でケーブル１０の接続部２２側への移動を規制してケーブル１０の損傷をより抑制することができる。
【００３９】
実施形態のケーブル用ブラケット２０では、第１突出変形部５１，第２突出変形部５２，中間突出変形部５３，はいずれも中間部２６の２つの接続部２２，２４のうち接続部２２側に配置されているものとしたが、これに限らず、第１突出変形部５１，第２突出変形部５２，中間突出変形部５３のうちいずれか１つ以上が接続部２４側に配置されているものとしてもよい。
【００４０】
実施形態のケーブル用ブラケット２０では、載置するケーブル１０の軸方向において保持部４２，４４よりも外側の一方に配置されており、第２突出変形部５２は、載置するケーブル１０の軸方向において保持部４２，４４よりも外側の他方に配置されているものとしたが、これに限られない。例えば、第１突出変形部５１と第２突出変形部５２との少なくとも一方を、載置するケーブル１０の軸方向において保持部４２，４４よりも内側に位置しているものとしてもよい。例えば、図１２の変形例のケーブル用ブラケット３２０に示すように、第１突出変形部３５１を載置するケーブル１０の軸方向において保持部４２と中間突出変形部３５３との間に配置してもよい。なお、中間突出変形部３５３は、位置が図１２における下方向に移動した点以外は、中間突出変形部５３と同じものである。
【００４１】
実施形態のケーブル用ブラケット２０では、第１突出変形部５１，第２突出変形部５２は保持部４２，４４とは別の部位としたが、第１突出変形部は、保持部のいずれか１つの一部であり、保持部のうち２つの接続部のいずれかの側に配置され、ケーブルを載置する面側に突出するよう曲げ変形可能であり、第２突出変形部は、第１突出変形部とは異なる保持部の一部であり、保持部のうち２つの接続部のいずれかの側に配置され、ケーブルを載置する面側に突出するよう曲げ変形可能であるものとしてもよい。例えば、図１３の変形例のケーブル用ブラケット４２０に示すようにしてもよい。このケーブル用ブラケット４２０は、接続部４２２，２４と、その間に存在する中間部４２６とを備えている。接続部４２２は、図１３における上下方向の幅が接続部２４と同程度になった点以外は、接続部２２と同様である。中間部４２６には、保持部４４２，４４４と、基部４４６，４８とが設けられている。保持部４４２は、保持部４２と比べて図１３における左右方向に長めに形成されており、その一部に第１突出変形部４５１が形成されている。保持部４４４は、保持部４４と比べて図１３における左右方向に長めに形成されており、その一部に第２突出変形部４５２が形成されている。第１突出変形部４５１は、保持部４４２の２つの接続部４２２，２４のうち接続部４２２側に配置され、ケーブル１０を載置する表面３６側に突出するよう曲げ変形可能に形成されている。第２突出変形部４５２は、第１突出変形部４５１とは異なる保持部４４４の一部であり、保持部４４４の２つの接続部４２２，２４のうち第１突出変形部４５１と同じ接続部４２２側に配置され、ケーブル１０を載置する表面３６側に突出するよう曲げ変形可能に形成されている。基部４４６は、図１３における上下方向の幅が接続部４２２と同程度に形成されており、基部４６と同様に中間突出変形部５３が設けられている。このケーブル用ブラケット４２０において、第１突出変形部４５１，第２突出変形部４５２，中間突出変形部５３をそれぞれケーブル１０を載置する表面３６側に突出させ、中間部４２６に設けられた保持部４４２，４４４にケーブル１０を載置した状態で、ケーブル１０の外周の一部に当接するよう保持部４４２，４４４が曲げ変形されると共に接続部４２２に接続部２４が重ねられることにより保持部４４２，４４４がケーブル１０を保持したときの様子を図１４に示す。図１４では、保持部４４４の一部である第２突出変形部４５２を第２突出変形部４５２の中央で折り返されるように曲げ変形することで、第２突出変形部４５２をケーブル１０を載置する表面３６側に突出させている。図示は省略するが第１突出変形部４５１についても同様にしてケーブル１０を載置する表面３６側に突出させることができる。これにより、第１突出変形部４５１，第２突出変形部４５２はケーブル１０のうち保持部４４２，４４４に押される部分でケーブル１０の移動を規制することができる。そのため、第１突出変形部５１，第２突出変形部５２と同様にケーブル１０の損傷を抑制できる。なお、上述した実施形態において、ケーブル用ブラケット２０は、第１突出変形部５１，第２突出変形部５２とは別に、さらに第１突出変形部４５１，第２突出変形部４５２のいずれかを第３突出変形部として備えるものとしてもよい。また、第１突出変形部５１，第２突出変形部５２とは別に、第１突出変形部４５１，第２突出変形部４５２をともに備えるものとしてもよい。あるいは、ケーブル用ブラケット２０は、第１突出変形部５１及び第２突出変形部５２のいずれかと、第１突出変形部４５１及び第２突出変形部４５２のいずれかとを備えるものとしてもよい。このようにしても、突出変形部をケーブル１０が載置される表面３６側に突出させることで、ケーブル１０の移動を規制してケーブル１０が損傷するのをより抑制することができる。なお、第１突出変形部４５１，第２突出変形部４５２のうち第１突出変形部４５１を備え第２突出変形部４５２を備えないものとする場合には、保持部４４２を備え保持部４４４を備えないものとすればよい。同様に、第２突出変形部４５２を備え第１突出変形部４５１を備えないものとする場合には、保持部４４４を備え保持部４４２を備えないものとすればよい。
【００４２】
実施形態の主要な要素と課題を解決するための手段の欄に記載した発明の主要な要素との対応関係について説明する。実施形態では、本発明の第１、第２のケーブル用ブラケットにおいて、第１突出変形部５１が「第１突出変形部」に相当し、第２突出変形部５２が「第２突出変形部」に相当し、中間突出変形部５３が「中間突出変形部」に相当する。
【００４３】
ここで、本発明の第１のケーブル用ブラケットにおいて、「第１突出変形部」としては、第１突出変形部５１に限定されるものではなく、中間部のうち２つの接続部のいずれかの側に配置され、ケーブルを載置する面側に突出するよう曲げ変形可能なものであれば如何なるものとしても構わない。「第２突出変形部」としては、第２突出変形部５２に限定されるものではなく、中間部のうち２つの接続部のいずれかの側であって載置するケーブルの軸方向に第１突出変形部からずれた位置に配置され、ケーブルを載置する面側に突出するよう曲げ変形可能なものであれば如何なるものとしても構わない。「中間突出変形部」としては、中間突出変形部５３に限定されるものではなく、中間部のうち２つの接続部のいずれかの側であって載置するケーブルの軸方向において第１突出変形部と第２突出変形部との間に配置され、ケーブルを載置する面側に突出するよう曲げ変形可能なものであれば如何なるものとしても構わない。また、本発明の第２のケーブル用ブラケットにおいて、「第１突出変形部」としては、第１突出変形部５１に限定されるものではなく、中間部のうち２つの接続部のいずれかの側に配置され、ケーブルを載置する面側に突出するよう曲げ変形されたものであれば如何なるものとしても構わない。「第２突出変形部」としては、第２突出変形部５２に限定されるものではなく、中間部のうち２つの接続部のいずれかの側であって載置するケーブルの軸方向に第１突出変形部からずれた位置に配置され、ケーブルを載置する面側に突出するよう曲げ変形されたものであれば如何なるものとしても構わない。
【００４４】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００４５】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００４６】
本発明は、ケーブル用ブラケットの製造産業などに利用可能である。
【符号の説明】
【００４７】
１０  ケーブル、２０，１２０，２２０，３２０，４２０  ケーブル用ブラケット、２１，２３  端、２２，２２２，４２２，２４  接続部、２６，４２６  中間部、３２  貫通孔、３４，３６  貫通孔、３６  表面、４２，４４２，４４，４４４  保持部、４６，２４６，４４６，４８  基部、５１，２５１，３５１，４５１  第１突出変形部、５２，４５２  第２突出変形部、５３，１５３，３５３  中間突出変形部。
【図１】
2013059216.tif 000003
【図２】
2013059216.tif 000004
【図３】
2013059216.tif 000005
【図４】
2013059216.tif 000006
【図５】
2013059216.tif 000007
【図６】
2013059216.tif 000008
【図７】
2013059216.tif 000009
【図８】
2013059216.tif 000010
【図９】
2013059216.tif 000011
【図１０】
2013059216.tif 000012
【図１１】
2013059216.tif 000013
【図１２】
2013059216.tif 000014
【図１３】
2013059216.tif 000015
【図１４】
2013059216.tif 000016